【事件の表示】
　平成　５年特許願第２９５１３５号「光ディスク装置」拒絶査定不服審判事件〔平成　７年　６月１６日出願公開、特開平　７−１５３１８２〕について、次のとおり審決する。
【結　論】
　本件審判の請求は、成り立たない。
【理　由】
１．手続の経緯及び本願発明
　本件は、平成５年１１月２５日に特許出願され、平成１１年１１月２９日に審査請求したが、平成１３年１２月２５日付けで拒絶査定された。平成１４年２月７日に審判請求し、平成１４年２月２１日に手続補正書を提出したが、平成１４年５月９日付けで前置報告された。平成１５年１１月１２日付けで拒絶の理由が通知され、平成１６年１月１９日意見書及び手続補正書が提出された。
　本件特許請求の範囲請求項１に係る発明は、平成１６年１月１９日付け手続補正書で補正された特許請求の範囲請求項１に記載されたとおりの次のものである。
　
「【請求項１】　光ディスクにデ−タを記録もしくは再生する光ディスク装置であって、光ディスクよりデ−タを再生もしくは記録する記録再生手段のデ−タ転送速度ａとデ−タを処理する処理手段におけるデ―タ転送速度ｂにおいて、ａ＞ｂなる関係とし、上記記録再生手段、処理手段、記憶手段を制御する制御手段により、デ−タを時間的に連続して処理及び記録もしくは再生を行うように構成し、上記処理手段は連続した動作とし、上記記録再生手段は動作を間欠動作させ、間欠動作においては、動作停止期間を設け上記記録再生手段への電圧、電流、制御信号及びシステムクロックの少なくとも１つの供給を停止させモータと録再ヘッドから上記光ディスクに照射するレーザ光を停止させる第１の状態と、停止しない第２の状態を有し、該２つの状態を上記制御手段により制御可能としたものであり、
　上記光ディスクを回転させるためのモ−タと、
　このモ−タの回転速度検出する回転速度検出手段と、
　上記記録再生手段が記録もしくは再生している半径位置を検出する位置検出手段と、
　上記位置検出手段と接続され上記モ−タの上記第２の状態の時の回転速度基準値を決定する速度基準検出手段と、
　上記速度基準検出手段の出力と上記回転速度検出手段の出力とを受けて上記モータの回転誤差を検出するモータ制御手段と、
　上記モータ制御手段の出力に応じて上記モータの回転数を調整するモータ駆動手段とを備え、
　上記位置検出手段は、光ディスク上に記録された絶対番地情報を基に実質的に演算して求め、上記第１の動作状態にあるときはこれを実質的に保持することを特徴とする光ディスク装置。」
　
２　引用例
（１）引用例１　特開平５−８９４６９号公報
　当審の拒絶理由で通知された、本件出願前公知の刊行物である特開平５−８９４６９号公報（以下、引用例１という。）には次の記載がある。
ａ　【特許請求の範囲】【請求項１】及び【請求項３】に、
「【請求項１】 情報が圧縮記録された光ディスクを回転させるディスク回転手段と、回転する前記光ディスクに光ビームを照射して所定量の情報を所定周期ごとに所定の読出時間で読出し所定量の読取信号として出力する読取手段と、当該所定量の読取信号を取込んで一時記憶する記憶手段と、当該記憶手段に記憶された前記所定量の読取信号を前記所定の読出時間に所定の空白時間を加えた所定のデコード時間で取込み、前記圧縮記録の逆の操作により前記情報の伸長再生を行なうことを繰返して情報を出力するデコード手段と、前記各手段を統括制御する制御手段とを備え、前記光ディスクから前記情報を再生する光ディスク再生装置において、前記制御手段は、前記空白時間中においては、前記ディスク回転手段のサーボ制御を停止し、かつ、前記ディスク回転手段を駆動するための駆動制御信号を回転に必要な所定の周期ごとに不連続に出力することを特徴とする光ディスク再生装置。」と記載され、
「【請求項３】  情報が圧縮記録された光ディスクを回転させるディスク回転手段と、回転する前記光ディスクに光ビームを照射して所定量の情報を所定周期ごとに所定の読出時間で読出し所定量の読取信号として出力する読取手段と、当該所定量の読取信号を取込んで一時記憶する記憶手段と、当該記憶手段に記憶された前記所定量の読取信号を前記所定の読出時間に所定の空白時間を加えた所定のデコード時間で取込み、前記圧縮記録の逆の操作により前記情報の伸長再生を行なうことを繰返して情報を出力するデコード手段と、前記各手段を統括制御する制御手段とを備え、前記光ディスクから前記情報を再生する光ディスク再生装置において、
前記制御手段は、前記読取手段の光照射を、前記空白時間中においては前記読取手段のサーボ制御に必要な所定の周期ごとにパルス照射することを特徴とする光ディスク再生装置。」と記載され、
　
ｂ　【００１７】〜【００２４】に、
「【００１７】図１に示すように、このＭＤ記録再生装置１００は、光磁気ディスク本体２１を回転駆動するためのスピンドルモータ１と、図示しないアクチュエータおよび偏光ビームスプリッタを有し、回転する光磁気ディスク本体２１にレーザビームを照射し、このレーザビームが光磁気ディスク本体２１の磁性膜において、磁気Ｋｅｒｒ効果により偏光面がわずかに回転して反射され戻ってきたビーム中から光磁気信号を読取りＲＦ信号（ＲＦ：Ｒａｄｉｏ　Ｆｒｅｑｕｃｎｃｙ）を出力するための光ピックアップ２と、ＲＦ信号を適当なレベルにまで増幅するためのＲＦアンプ７と、ＲＦ信号中からウォブリング周波数を検出することにより情報未記録時においても光磁気ディスク本体３１における時間的位置が検出可能なＡＴＩＰデコーダ６と、増幅されたＲＦ信号からＥＦＭ信号（ＥＦＭ：Ｅｉｇｈｔ　ｔｏ　Ｆｏｕｒｔｅｅｎ　Ｍｏｄｕｌａｔｉｏｎ）を抽出するためのＥＦＭデコーダ９と、レーザビームによりキュリー温度以上に熱せられた磁性膜の位置に磁界変調を与えて情報を書き込むための磁気ヘッド３と、この磁気ヘッド３を駆動するためのヘッド駆動回路５と、１Ｍｂｉｔ程度の記録情報データを一旦貯え、振動などによる音飛び等を防止するためのＤＲＡＭ（Ｄｙｎａｍｉｃ　Ｒａｎｄｏｍ　Ａｃｃｅｓｓ　Ｍｅｍｏｒｙ）１２と、このＤＲＡＭ１２に対するデータの入出力を制御するためのＤＲＡＭコントロール回路１１と、情報記録時に外部から入力されるアナログ情報信号をデジタル情報信号に変換するためのＡ／Ｄコンバータ１５と、変換されたデジタル情報信号のデータ量を人間の耳の最小可聴限特性およびマスキング効果を利用して約１／５程度に圧縮するためのデータ圧縮エンコーダ１３と、情報再生時にＭＤ２０から読み出されＥＦＭ復調された信号のデータ伸張を行いデジタルオーディオ信号を出力するためのデータ圧縮デコーダ１４と、復元されたデジタルオーディオ信号をアナログ信号に変換するためのＤ／Ａコンバータ１６と、光ピックアップ２を光磁気ディスク本体２１の半径方向に移動させるためのキャリッジ４と、スピンドルモータ１、キャリッジ４および図示しないアクチュエータをサーボ制御するためのサーボコントロール回路８と、このＭＤ記録再生装置１００の各部を制御するためのシステムコントローラ１０と、システムコントローラ１０に外部から操作指令を与えるためのキー入力部１８と、このＭＤ記録再生装置１００の演奏状態等を表示するための表示部１７と、記録時及び再生時に光ピックアップ２が光磁気ディスク本体２１に対し照射するレーザビームのための電気出力（レーザ出力）を制御するためのレーザ出力制御回路１９と、を備えており、これら各部は図示のように接続されている。ここに、スピンドルモータ１はディスク回転手段に相当し、光ピックアップ２は読取手段に相当し、ＤＲＡＭ１２は記憶手段に相当し、データ圧縮デコーダ１４はデコード手段に相当し、システムコントローラ１０とサーボコントロール回路８とレーザ出力制御回路１９とは制御手段を構成している。
　
【００１８】このように構成することにより、サーボコントロール回路８は、ＲＦアンプからのＲＦ信号を受けて、キャリッジ４および図示しないアクチュエータを制御するための制御信号を抽出して送り、レーザビームを光磁気ディスク本体２１の記録トラック軸線上から外れないようにトラッキングサーボ制御を行う。またサーボコントロール回路８は、ＥＦＭデコーダ９からのＥＦＭ信号中に含まれるクロック信号に基づき、スピンドルモータ１を定速回転させるための制御信号を送ることにより、スピンドルサーボ制御を行う。システムコントローラ１０は、キー入力部１８に外部から入力される操作指令に基づきプレーヤの各部に制御信号を送り、高速サーチ動作や、ランダムアクセスプレー動作等を行わせることができる。
　
【００１９】次に、本実施例の動作説明に先立ち、図５により、ＭＤ記録再生装置における再生中の「空白時間」について説明する。ＭＤは、特にポータブル形式の小型再生用プレーヤに採用することを狙って開発されている。そのため、図５に示すように、所定の情報量（例えばデータ列（１）、（２）、（３）（注：原文は丸付き数字）、…）ごとにデータを読出し、そのデータを一時ＤＲＡＭ等に貯えておき、データ読出し時間より長い時間をかけてこの読出しデータをデコードする。これは、ＭＤのデータは小径のディスクにＣＤ並みの情報量を記録するために約１／５程度にデータ圧縮されているからである。したがって、データを読取る光ピックアップ等には、データ読出しを行っている時間のほかに読取動作を行う必要のない「空白時間」が生じる。すなわち、データデコード時間とデータ読出し時間との差が空白時間となる。ＭＤ記録再生装置には、このようなＤＲＡＭが備えられているので、屋外等で使用されている際に振動等で光ピックアップが記録トラックから外れても、上記の空白時間の範囲内で再度データを読取りＲＡＭに貯えることが可能なため、いわゆる「音飛び」を生じることがない、という利点を有している。
　
【００２０】しかし、ＭＤ記録再生装置の省電力化を考えた場合、この空白時間中において、スピンドルモータ１の回転駆動や光ピックアップ２のレーザビーム照射をデータ読出し時間中と同様に行う必要はない。本実施例は、まずこの点を改善したものである。また、一般的に再生時のレーザ出力は記録時のレーザ出力よりも低いレベルでよい。本実施例は、この点をも改善することを狙ったものである。
　
【００２１】次に図２及び図３を用いて本実施例の動作を説明する。まず、データ読出し時間中は通常のデータ読出し動作を行う（ステップＳ１）。すなわち、図３（ｃ）に示すように、スピンドルサーボ制御はクローズ（ＯＮ）の状態で、サーボ制御がかけられており、図３（ｄ）に示すようにスピンドル駆動信号は連続して与えられ、スピンドルモータ１は駆動回転されている。また、図３（ｅ）に示すように、レーザ出力制御回路１９から光ピックアップ２に与えられるレーザ出力レベル値はＰ２となっている。ここにＰ３は情報記録時のレーザ出力レベル値であり、一般に読出し時のレーザ出力レベル値Ｐ２はＰ３より低くてよいため、本実施例では読出し時においてはレーザ出力レベル値をＰ２に設定する。このように設定することにより、データ読出し時において、まず省電力化を図ることができる。
　
【００２２】次に、１データ列分のデータ読出しが完了すると（ステップＳ２）、空白時間中以下の省電力動作を行う（ステップＳ３）。すなわち、図３（ｃ）に示すように、スピンドルモータ１のスピンドルサーボ制御はオープン（ＯＦＦ）とされ、サーボ制御は停止される。同時に、図３（ｄ）に示すように、スピンドル駆動信号は周期ｆ１ごとに不連続的に与えられる。この周期ｆ１はスピンドルモータ１を慣性回転させるために最低限必要な周期である。このようにすることにより、スピンドルモータ１は慣性によって回転する。この周期はスピンドル駆動信号の駆動レベルによって変化する。
　
【００２３】また、光磁気ピックアップ２には、図３（ｅ）に示すように、レベル値Ｐ１のレーザ出力が与えられる。この値Ｐ１はフォーカスサーボ制御又はトラッキングサーボ制御に最小限必要なレーザ出力レベルであり、前記の読出しレーザ出力レベル値Ｐ２より低い。従って、出力値Ｐ１、Ｐ２、Ｐ３の間にはＰ１＜Ｐ２＜Ｐ３の関係がある。
　
【００２４】このようにして、空白時間中の電力消費を低下させることができる。この場合、図３（ｆ）に示すように、空白時間中のレーザ出力レベル値を値Ｐ１、周期ｆ２のパルス駆動としてもよい。周期ｆ２はフォーカスサーボ制御、トラッキングサーボ制御等に必要最小限の周期である。このように構成すると、さらに省電力化が可能である。上記の省電力化対策は併用する方が効果が相乗されるため望ましいが、いずれかの対策が単独に実行されてもかまわない。空白時間が終了すると（ステップＳ４）、再びステップＳ１に戻り通常の読出し動作となる。」と記載されている。
ｃ　第３図（ａ）、（ｂ）において、１データ列読み出し時間と空白期間の合計が１データ列デコード時間に相当することが示され、第３図（ｆ）において、レーザー駆動（２）として、１データ列読み出し時間には、Ｐ２のレベルでレーザーを照射し、空白期間のｆ２においてはＯＦＦとし、短期間Ｐ１で照射することを繰り返すことが示されている。
　
ｄ　即ち引用例１には、
「情報が圧縮記録された、回転する光ディスクに、光ビームを照射して所定量の情報を所定周期ごとに所定の読出時間で読出し、磁界変調を与えて情報を書き込むＭＤ記録再生装置において、
　該所定量の読取信号を取込んで一時記憶する記憶手段と、当該記憶手段に記憶された前記所定量の読取信号を前記所定の読出時間に所定の空白時間を加えた所定のデコード時間で取込み、前記圧縮記録の逆の操作により前記情報の伸長再生を行なうことを繰返して情報を出力するデコード手段を有し、データ読出しを行っている時間のほかに読取動作を行う必要のない「空白時間」が生じ、１データ列読み出し時間と空白期間の合計が１データ列デコード時間に相当し、
　システムコントローラ１０が各部を制御し、
　１データ列分のデータ読出しが完了すると（ステップＳ２）、空白時間中以下の省電力動作を行い（ステップＳ３）、すなわち、スピンドルモータ１のスピンドルサーボ制御はオープン（ＯＦＦ）とされ、サーボ制御は停止され、同時に、スピンドル駆動信号は周期ｆ１ごとに不連続的に与えられ、光磁気ピックアップ２には、フォーカスサーボ制御又はトラッキングサーボ制御に最小限必要なレーザ出力レベルＰ１を与え、空白時間中の電力消費を低下させるものであり、
　光磁気ディスク本体２１を回転駆動するためのスピンドルモータ１を有し、
　サーボコントロール回路８は、ＥＦＭデコーダ９からのＥＦＭ信号中に含まれるクロック信号に基づき、スピンドルモータ１を定速回転させるための制御信号を送ることにより、スピンドルサーボ制御を行い、
　光磁気ディスク本体３１における時間的位置が検出可能なＡＴＩＰデコーダ６を有し、
　レーザー駆動として、１データ列読み出し時間には、Ｐ２のレベルでレーザーを照射し、空白期間のｆ２においてはＯＦＦとし、短期間Ｐ１で照射することを繰り返す
　ＭＤ記録再生装置」
が示されている。
　
（２）　引用例２　特開平５−１６６３０６号公報
　当審の拒絶理由で通知された、本件出願前公知の刊行物である特開平５−１６６３０６号公報（以下、引用例２という。）には次の記載がある。
ａ　【００４８】〜【００４９】に、
「【００４８】一方、信号処理回路１１５は、ＣＤ１０１にショックが加わるなどの理由でオーディオデータを連続的に再生できなくなった場合、システム制御回路１１３と再生速度制御回路１２３に出力するエラー信号をアクティブにする。この結果、システム制御回路１１３は、エラーが発生した時点の再生位置を記憶する。この再生位置は、エラーが発生した時点でＥＦＭ復調回路１１２から出力されているサブコード中の絶対時間データとして認識可能である。また、再生速度制御回路１２３は、信号処理回路１１５からのオーディオデータのデータメモリへの書込み動作を中断する。但し、再生速度制御回路１２３は、データメモリからのオーディオデータの読出し動作は継続して行う。
　
【００４９】そして、信号処理回路１１５において、信号処理状態がエラー状態から正常な状態に復帰すると、信号処理回路１１５は上記エラー信号を正常な状態に対応する論理レベルに戻す。これを受けてシステム制御回路１１３は、保持していたエラー発生時点の再生位置の情報に基づいて頭出し制御を行い、その位置からのオーディオデータの再生を再開する。これと共に、再生速度制御回路１２３は、信号処理回路１１５から入力される上記再生再開位置からのオーディオデータのデータメモリへの書込みを再開する。」と記載され、
　
ｂ　【００９５】〜【００９７】に、
「【００９５】まず、システム制御回路１１３は、ステップＳ１で信号処理回路１１５からのエラー信号ＥＲＲの状態を監視しており、エラー信号ＥＲＲがローレベルでエラーが発生していなければ、ステップＳ１の判定がＮＯとなってステップＳ２に進み、ここで特には図示しないレジスタＴに、現在ＥＦＭ復調回路１１２から出力されているサブコード中の絶対時間データＡＢＳを格納する。
　
【００９６】次に、図５の時刻t1でエラーが発生してエラー信号ＥＲＲがハイレベルとなると、ステップＳ１の判定がＹＥＳとなってステップＳ３に進み、ここでエラーの解除を待機する状態となる。
　
【００９７】続いて、図５の時刻t2で正常状態に戻りエラー信号ＥＲＲがローレベルに戻ると、ステップＳ３の判定がＹＥＳとなって、ステップＳ４に進み、ここでレジスタＴに保持されていた中断再生位置に対応する絶対時間データＡＢＳでＣＤの頭出し制御を行い、ＣＤの再生を再開する。」と記載されている。
　
（３）　引用例３　特開平　４−１４９８６０号公報　
　当審の拒絶理由で通知された、本件出願前公知の刊行物である特開平　４−１４９８６０号公報（以下、引用例３という。）には、読取り信号からタイムアドレスコードを抽出し、基準回転数と導き、スピンドルモータの回転数と比較して、ＣＬＶ制御する技術が示されている。
　
（４）　引用例４　特開昭５６−６１０６４号公報
　当審の拒絶理由で通知された、本件出願前公知の刊行物である特開昭５６−６１０６４号公報（以下、引用例４という。）には、半径位置から、求める回転速度をＲＯＭを用いて導く技術が示されている。
　
（５）　周知例　特開昭６３−１９５８２８号公報
　本件出願前公知の刊行物である特開昭６３−１９５８２８号公報の第１頁右下欄第７行〜第１２行には次の記載がある。
「［産業上の利用分野］
　本発明は光ディスク装置の自動焦点制御方式に係り、特に光ディスク装置が待機状態にあるとき光源をオフとし、次に光源をオンして再起動する際に、高速に焦点引き込み動作を行うのに好適な自動焦点方式に関する。」
　
３　本願発明と引用例との対比・判断
（１）　一致点
　本願発明の【０００２】において、光ディスクにＭＤを含めており、引用例１の「ＭＤ記録再生装置」は、本願発明の「光ディスク装置」に相当する。
　引用例１の「所定量の読取信号を取込んで一時記憶する記憶手段と、当該記憶手段に記憶された前記所定量の読取信号を前記所定の読出時間に所定の空白時間を加えた所定のデコード時間で取込み、前記圧縮記録の逆の操作により前記情報の伸長再生を行なうことを繰返して情報を出力するデコード手段を有し、データ読出しを行っている時間のほかに読取動作を行う必要のない「空白時間」が生じ、１データ列読み出し時間と空白期間の合計が１データ列デコード時間に相当」ということ」、及び「ディスクからの再生時には、ディスクからＤＲＡＭ等に貯えておき、データ読出し時間より長い時間をかけてこの読出しデータをデコードする」との記載から、本願発明の「光ディスクよりデ−タを再生もしくは記録する記録再生手段のデ−タ転送速度ａとデ−タを処理する処理手段におけるデ―タ転送速度ｂにおいて、ａ＞ｂなる関係」を有することは明らかである。
　してみると、本願発明と引用例１とは、
「光ディスクにデ−タを記録もしくは再生する光ディスク装置であって、光ディスクよりデ−タを再生もしくは記録する記録再生手段のデ−タ転送速度ａとデ−タを処理する処理手段におけるデ―タ転送速度ｂにおいて、ａ＞ｂなる関係とし、上記記録再生手段、処理手段、記憶手段を制御する制御手段により、処理及び記録もしくは再生を行うように構成し、上記記録再生手段は動作を間欠動作させ、間欠動作においては、動作停止期間を設け上記記録再生手段への電圧、電流、制御信号及びシステムクロックの少なくとも１つの供給を停止させる第１の状態と、停止しない第２の状態を有し、該２つの状態を上記制御手段により制御可能としたものであり、
　上記光ディスクを回転させるためのモ−タと、
　このモ−タの回転速度検出する回転速度検出手段と、
　位置検出手段と、
　上記位置検出手段と接続され上記モ−タの上記第２の状態の時の回転速度基準値を決定する速度基準検出手段と、
　上記速度基準検出手段の出力と上記回転速度検出手段の出力とを受けて上記モータの回転誤差を検出するモータ制御手段と、
　上記モータ制御手段の出力に応じて上記モータの回転数を調整するモータ駆動手段とを備え
る光ディスク装置」である点で一致する。
　
（２）　相違点
（相違点１）
　そして、本願発明は、「デ−タを時間的に連続して処理及び記録もしくは再生を行うように構成し、上記処理手段は連続した動作と」としているが、引用例１は「１データ列読み出し時間」としており、連続動作かどうか明確でない点、
　
（相違点２）
　本願発明は、「間欠動作においては、動作停止期間を設け上記記録再生手段への電圧、電流、制御信号及びシステムクロックの少なくとも１つの供給を停止させモータと録再ヘッドから上記光ディスクに照射するレーザ光を停止させる」が、引用例１は、「空白時間中以下の省電力動作を行い（ステップＳ３）、すなわち、スピンドルモータ１のスピンドルサーボ制御はオープン（ＯＦＦ）とされ、サーボ制御は停止され、同時に、スピンドル駆動信号は周期ｆ１ごとに不連続的に与えられ、光磁気ピックアップ２には、フォーカスサーボ制御又はトラッキングサーボ制御に最小限必要なレーザ出力レベルＰ１を与え、空白時間中の電力消費を低下させるものであ」る点、
　
（相違点３）
　本願発明は、「上記記録再生手段が記録もしくは再生している半径位置を検出する位置検出手段」を有し、「上記位置検出手段は、光ディスク上に記録された絶対番地情報を基に実質的に演算して求め、上記第１の動作状態にあるときはこれを実質的に保持する」が、引用例１は「ＥＦＭデコーダ９からのＥＦＭ信号中に含まれるクロック信号」によりサーボ制御しており、絶対番地情報が明示されていない点
で、相違している。
　
（３）　相違点の評価・判断
（相違点１について）
　引用例１において、「制御手段は、前記空白時間中においては、前記ディスク回転手段のサーボ制御を停止し、かつ、前記ディスク回転手段を駆動するための駆動制御信号を回転に必要な所定の周期ごとに不連続に出力する」としており、空白期間は不連続に出力していることは明記されている。そして、「データ読出し」を連続処理できない格別な事情も認められないことから、本願発明のように「デ−タを時間的に連続して処理及び記録もしくは再生を行うように構成し、上記処理手段は連続した動作と」することは格別のものではない。
　
（相違点２について）
　本願発明の「間欠動作においては、動作停止期間を設け上記記録再生手段への電圧、電流、制御信号及びシステムクロックの少なくとも１つの供給を停止させモータと録再ヘッドから上記光ディスクに照射するレーザ光を停止させる」は、「間欠動作においては、動作停止期間を設け上記記録再生手段への電圧、電流、制御信号及びシステムクロックの少なくとも１つの供給を停止させ」ることと「録再ヘッドから上記光ディスクに照射するレーザ光を停止させる」ことであると解する。また、モータとからレーザ光を停止することの意味は不明であり誤記であると解する。さらにそのことと「録再ヘッドから上記光ディスクに照射するレーザ光を停止させる」ことは出願当初の明細書に記載がない。
　引用例１の「空白時間中以下の省電力動作を行い（ステップＳ３）、すなわち、スピンドルモータ１のスピンドルサーボ制御はオープン（ＯＦＦ）とされ、サーボ制御は停止され、同時に、スピンドル駆動信号は周期ｆ１ごとに不連続的に与えられ、光磁気ピックアップ２には、フォーカスサーボ制御又はトラッキングサーボ制御に最小限必要なレーザ出力レベルＰ１を与え、空白時間中の電力消費を低下させる」ことは、本願発明の「「間欠動作においては、動作停止期間を設け上記記録再生手段への電圧、電流、制御信号及びシステムクロックの少なくとも１つの供給を停止させ」ることに相当する。
　そして、上記周知例（特開昭６３−１９５８２８号公報）の「本発明は光ディスク装置の自動焦点制御方式に係り、特に光ディスク装置が待機状態にあるとき光源をオフとし」という記載から見て、光ディスクが待機状態であるとき、即ち引用例１の空白時間、本願発明の動作停止期間に光源をオフすることは周知の技術であると認められ、本願発明の「録再ヘッドから上記光ディスクに照射するレーザ光を停止させる」ことは単なる設計的事項である。
　
（相違点３について）
　引用例４に、半径位置から、求める回転速度をＲＯＭを用いて導く技術が示され、引用例２において、「システム制御回路１１３は、エラーが発生した時点の再生位置を記憶する。この再生位置は、エラーが発生した時点でＥＦＭ復調回路１１２から出力されているサブコード中の絶対時間データとして認識可能である。」としており、引用例３で読取り信号からタイムアドレスコードを抽出しいる各技術から、「上記記録再生手段が記録もしくは再生している半径位置を検出する位置検出手段」を有し、「上記位置検出手段は、光ディスク上に記録された絶対番地情報を基に実質的に演算して求め、上記第１の動作状態にあるときはこれを実質的に保持する」ことは当業者が容易に想到することができた事項である。
　
（容易性のまとめ）
　各相違点は格別のものではなく、総合的に見ても格別のことが認められない。従って、本願発明は、引用例１〜４及び周知例記載の発明に基づいて当業者が容易に発明をすることができたものであるので、特許法第２９条第２項の規定により、特許を受けることができないものである。
　
４　まとめ　
　本願発明は、特許法第２９条第２項の規定により、特許を受けることができないものである。
　よって、結論のとおり審決する。